(57)【要約】      （修正有）【課題】先端メータリングインフラ（ＡＭＩ）構成要素を有するシステム、方法および装置を提供する。【解決手段】ＡＭＩ構成要素を収容するために使用可能な、１つまたは複数の点検時にアクセス可能な区画１０４、１１０を有するエネルギーメータ筐体１０２を供給するステップと、１つまたは複数の点検時にアクセス可能な区画１０４、１１０に付随する１つまたは複数の区画カバー１０８、１１４を操作するステップと、１つまたは複数のＡＭＩ構成要素を１つまたは複数の点検時にアクセス可能な区画の中に設置するステップと、１つまたは複数の区画カバーを閉じるステップとを含む。エネルギーメータ筐体１０２は、少なくとも１つの外部要因から構成要素を保護する。【選択図】図１
2012073254.tif 000002
【特許請求の範囲】
【請求項１】
電力メータ構成要素にアクセスする方法であって、
先端メータリングインフラ（ＡＭＩ）構成要素を収容するために使用可能な、１つまたは複数の点検時にアクセス可能な区画（１０４、１１０）を有するエネルギーメータ筐体（１０２）を供給するステップと、
前記１つまたは複数の点検時にアクセス可能な区画（１０４、１１０）に付随する１つまたは複数の区画カバー（１０８、１１４）を操作するステップと、
前記１つまたは複数の点検時にアクセス可能な区画（１０４、１１０）の中に１つまたは複数のＡＭＩ構成要素を設置するステップと、
前記１つまたは複数の区画カバー（１０８、１１４）を閉じて、前記エネルギーメータ筐体（１０２）が、少なくとも１つの外部要因から前記ＡＭＩ構成要素を保護するステップと
を含む、方法。
【請求項２】
前記１つまたは複数のＡＭＩ構成要素を設置するステップが、１つまたは複数の交換可能なＡＭＩカード（１０６）または交換可能な蓄電池（１１２）を設置するステップを含み、前記交換可能な蓄電池（１１２）のための蓄電池区画（１１０）が、前記交換可能なＡＭＩカード（１０６）のためのＡＭＩ区画（１０４）と分離される、請求項１記載の方法。
【請求項３】
前記エネルギーメータ筐体（１０２）を供給するステップが、電流を監視するための少なくとも１つの電流感知アッシ（３０２）を供給するステップをさらに含む、請求項１記載の方法。
【請求項４】
少なくとも１つの電流感知アッシ（３０２）を供給するステップが、少なくとも１つの変流器アッシ（２０８）を供給するステップを含み、前記少なくとも１つの変流器アッシ（２０８）が、変流器キャップ（２０４）、変流器ケーシング（２０６）および変流器（２０２）を備える、請求項３記載の方法。
【請求項５】
前記少なくとも１つの電流感知アッシ（３０２）を供給するステップが、変流器（２０２）のためのスナップ嵌め筐体を供給するステップを含み、前記スナップ嵌め筐体が、変流器キャップ（２０４）および変流器ケーシング（２０６）を備える、請求項４記載の方法。
【請求項６】
前記スナップ嵌め筐体が、変流器の標準的サイズの約８０％〜約１２０％のサイズに及ぶ変流器（２０２）を封入し、固定するために使用可能である、請求項５記載の方法。
【請求項７】
少なくとも１つの電力変圧器と、
先端メータリングインフラ（ＡＭＩ）構成要素を収容するために使用可能な、１つまたは複数の点検時にアクセス可能な区画（１０４、１１０）を有するエネルギーメータ筐体（１０２）と、
前記少なくとも１つの電力変圧器から前記エネルギーメータ筐体（１０２）まで電力を送達するために使用可能な導電体と、
前記少なくとも１つの点検時にアクセス可能な区画（１０４、１１０）に付随し、前記少なくとも１つの点検時にアクセス可能な区画（１０４、１１０）にアクセスするように操作されうる、１つまたは複数の区画カバー（１０８、１１４）と、
前記１つまたは複数の点検時にアクセス可能な区画（１０４、１１０）内の１つまたは複数の交換可能なＡＭＩ構成要素と
を備える、電力メータシステム。
【請求項８】
前記１つまたは複数の先端メータリングインフラ（ＡＭＩ）構成要素が、１つまたは複数の交換可能なＡＭＩカード（１０６）または交換可能な蓄電池（１１２）を備え、前記交換可能な蓄電池（１１２）のための蓄電池区画（１１０）が、前記交換可能なＡＭＩカード（１０６）のためのＡＭＩ区画（１０４）と分離される、請求項７記載のシステム。
【請求項９】
前記エネルギーメータ筐体（１０２）が、電流を監視するための少なくとも１つの電流感知アッシ（３０２）をさらに備える、請求項７記載のシステム。
【請求項１０】
前記少なくとも１つの電流感知アッシ（３０２）が、変流器キャップ（２０４）、変流器ケーシング（２０６）および変流器（２０２）を備える少なくとも１つの変流器アッシ（２０８）を備える、請求項９記載のシステム。
【発明の詳細な説明】
【技術分野】
【０００１】
本発明は、一般に、エネルギーメータに関し、具体的には、先端メータリングインフラ（Ａｄｖａｎｃｅｄ  Ｍｅｔｅｒｉｎｇ  Ｉｎｆｒａｓｔｒｕｃｔｕｒｅ）（ＡＭＩ）構成要素を有するエネルギーメータに関する。
【背景技術】
【０００２】
先端メータリングインフラ（ＡＭＩ）は、エネルギー使用量（ｅｎｅｒｇｙ  ｕｓａｇｅ）を測定、収集、解析し、オンデマンド（ｏｎ−ｄｅｍａｎｄ）または所定のスケデュール（ｏｎ  ｐｒｅ−ｄｅｆｉｎｅｄ  ｓｃｈｅｄｕｌｅ）のいずれかで種々の通信媒体を介して電力メータ（ｅｌｅｃｔｒｉｃｉｔｙ  ｍｅｔｅｒ）、ガスメータ、ヒートメータ（ｈｅａｔ  ｍｅｔｅｒ）および水道メータなどの先端デバイスと情報交換するシステムのことを言う。ＡＭＩインフラは、ハードウェア、ソフトウェア、通信手段、エネルギー表示器、コントローラ、他を含む。
【０００３】
顧客構内に配置されたエネルギー測定デバイスおよびＡＭＩ回路ボードは、エネルギー消費を監視し、そのような情報を供給業者、公益事業会社およびサービスプロバイダに伝えるために使用されてよい。また、ＡＭＩ通信手段（ＡＭＩ  ｃｏｍｍｕｎｉｃａｔｉｏｎｓ）は、例えば、価格の変化に応答して、あるいは、ピーク需要期間もしくはより高い卸売り価格の時期、または運転システムの信頼性が低い期間の間に、より低いエネルギー使用量の使用を奨励するように意図されたインセンティブにしたがって、消費者が手動でまたは自動的に彼らの標準的な消費パターンを変えることを支援するために、公益事業によって利用されてよい。
【先行技術文献】
【特許文献】
【０００４】
【特許文献１】中国特許第２６３９８９３号
【発明の概要】
【発明が解決しようとする課題】
【０００５】
ＡＭＩ回路ボードは、通常、公益事業業務が中断されている時間の間、通信を維持し、使用量データを保存するために、予備の電源または蓄電池を必要とする。エネルギー監視に付随するＡＭＩ回路ボード、予備蓄電池および他の構成要素は、通常、限定された寿命を有し、点検（ｓｅｒｖｉｃｉｎｇ）または交換を必要とする。
【課題を解決するための手段】
【０００６】
上記の必要性のいくつかまたはすべてが、本発明のいくつかの実施形態によって対処されうる。本発明のいくつかの実施形態は、ＡＭＩエネルギーメータにおける構成要素を提供するためのシステム、方法および装置を含むことができる。
【０００７】
本発明の例示的一実施形態によれば、電力メータ構成要素にアクセスするための方法が提供される。方法は、先端メータリングインフラ（ＡＭＩ）構成要素を収容するために使用可能な、１つまたは複数の点検時にアクセス可能な区画（ｓｅｒｖｉｃｅ  ａｃｃｅｓｓｉｂｌｅ  ｃｏｍｐａｒｔｍｅｎｔ）を有するエネルギーメータ筐体（ｅｎｃｌｏｓｕｒｅ）を提供するステップと、１つまたは複数の点検時にアクセス可能な区画に付随する１つまたは複数の区画カバーを操作するステップと、１つまたは複数のＡＭＩ構成要素を１つまたは複数の点検時にアクセス可能な区画の中に設置するステップと、１つまたは複数の区画カバーを閉じるステップとを含む。エネルギーメータ筐体は、ＡＭＩ構成要素を、少なくとも１つの外部要因から保護する。
【０００８】
別の例示的実施形態によれば、電力メータシステムが提供される。電力メータシステムは、少なくとも１つの電力変圧器と、１つまたは複数の点検時にアクセス可能な区画を有するエネルギーメータ筐体とを含む。点検時にアクセス可能な区画は、先端メータリングインフラ（ＡＭＩ）構成要素を収容するために使用可能である。また、システムは、少なくとも１つの電力変圧器からエネルギーメータ筐体に電力を送出するために使用可能な導電体と、１つまたは複数の点検時にアクセス可能な区画に付随する１つまたは複数の区画カバーとを含む。１つまたは複数の区画カバーは、１つまたは複数の点検時にアクセス可能な区画にアクセスするために、操作されてよい。また、電力メータシステムは、１つまたは複数の点検時にアクセス可能な区画の中に１つまたは複数の交換可能なＡＭＩ構成要素を含む。
【０００９】
別の例示的実施形態によれば、装置が提供される。装置は、１つまたは複数の点検時にアクセス可能な区画を有するエネルギーメータ筐体を含む。点検時にアクセス可能な区画は、先端メータリングインフラ（ＡＭＩ）構成要素を収容するために使用可能である。また、装置は、１つまたは複数の点検時にアクセス可能な区画に付随する１つまたは複数の区画カバーを含む。１つまたは複数の区画カバーは、１つまたは複数の点検時にアクセス可能な区画にアクセスするように操作されてよい。また、装置は、１つまたは複数の点検時にアクセス可能な区画の中に１つまたは複数の交換可能なＡＭＩ構成要素を含む。
【００１０】
本発明の他の実施形態および態様が本明細書で詳細に説明され、特許請求する本発明の一部をなすものとみなされる。他の実施形態および態様は、以下の詳細な説明、添付の図面、および添付の特許請求の範囲を参照することによって理解されうる。
【００１１】
次に、添付の図面が参照されるが、図面は、必ずしも縮尺通りに描かれていない。
【図面の簡単な説明】
【００１２】
【図１】本発明の例示的一実施形態による例示的メータアッシの図である。
【図２】本発明の例示的一実施形態による例示的変流器（ｃｕｒｒｅｎｔ  ｔｒａｎｓｆｏｒｍｅｒ）の図である。
【図３】本発明の例示的一実施形態による、変流器アッシを含む例示的ベースアッシ（ｂａｓｅ  ａｓｓｅｍｂｌｙ）の図である。
【図４】本発明の例示的一実施形態による例示的蓄電池アッシ（ｂａｔｔｅｒｙ  ａｓｓｅｍｂｌｙ）の図である。
【図５】本発明の例示的一実施形態による例示的方法の流れ図である。
【発明を実施するための形態】
【００１３】
本発明の実施形態を、本発明の実施形態を示す添付の図面の参照と共に、以下の明細書により詳細に説明する。しかし、本発明は、多くの異なる形で具現されてよく、本明細書で説明する実施形態に限定されると解釈されるべきではなく、むしろ、これらの実施形態は、この開示が包括的で完全なものとなり、本発明の範囲を当業者に完全に伝えるように提供される。全体を通して、同じ数字は同じ要素を示す。
【００１４】
本発明のいくつかの実施形態は、請求する目的で、および／または消費パターンを変えるために、エネルギー消費を監視することを可能にする。いくつかの例示的実施形態によれば、エネルギーメータおよび種々のサブシステムが、エネルギー消費を測定するために提供される。本発明のいくつかの例示的実施形態では、エネルギーメータは、電流を測定するために、１つまたは複数の変流器デバイスを装備されてよい。本発明の例示的実施形態によれば、変流器は、複数のベンダーによって供給されるコイルを受容するための汎用の筐体を含んでよい。いくつかの実施形態では、汎用の筐体は、組み付け用のねじの使用をなくすことができるスナップ嵌め機構（ｓｎａｐ−ｆｉｔ  ｆｅａｔｕｒｅ）を含んでよい。
【００１５】
本発明のいくつかの実施形態は、先端メータリングインフラ（ＡＭＩ）カードを使用して、情報および／または収益を直接、公益事業に送信しまたは公益事業から受信することができるシステムおよび／または通信チャネルを含む。本発明のいくつかの実施形態では、メータアッシは、ＡＭＩカードを収容するために使用可能なＡＭＩ区画を備えられる。また、ＡＭＩ区画は、ＡＭＩカードを現場で交換することを可能にする。本発明の例示的実施形態によれば、ＡＭＩ区画は、異なるベンダーからの異なるＡＭＩカードを受容する機能（ｆｅａｔｕｒｅ）を備えられてよい。
【００１６】
本発明のいくつかの例示的実施形態によれば、メータアッシはまた、現場で交換可能な予備蓄電池またはスーパーキャパシタを収容するために使用可能な予備電源区画を含んでよい。本発明のいくつかの実施形態によれば、安全のために、ＡＭＩカードと蓄電池とのために、別個の区画が備えられてよい。例示的実施形態によれば、蓄電池およびＡＭＩカードの区画は、ほこりおよび噴霧水に対する保護のための、国際保護等級（Ｉｎｔｅｒｎａｔｉｏｎａｌ  Ｐｒｏｔｅｃｔｉｏｎ  Ｒａｔｉｎｇ）ＩＰ５４（例えば、国際規格（ｉｎｔｅｒｎａｔｉｏｎａｌ  ｓｔａｎｄａｒｄ）ＩＥＣ６０５２９で定義される）条件に適合することができる。
【００１７】
次に、本発明の例示的実施形態による、エネルギーメータに付随する種々の構成要素を、添付の図面を参照して説明する。
【００１８】
図１は、本発明の例示的一実施形態による、メータアッシの分解図１００を示す。メータ筐体１０２は、ＡＭＩカード１０６を収容するために使用可能な先端メータリングインフラ（ＡＭＩ）区画１０４を含んでよい。本発明の例示的一実施形態によれば、着脱式ＡＭＩ区画カバー１０８は、ＡＭＩ区画１０４を覆って密封し、ＡＭＩカード１０６を環境すなわち外部要因および／または不正使用（ｔａｍｐｅｒｉｎｇ）から保護することができる。外部要因は、日光、雨、雪、砂、ほこり、泥、水、あられ、氷、結露、気象条件、有害な温度、またはこれらの任意の組合せを含むことができるが、限定はされない。本発明のいくつかの実施形態では、ＡＭＩ区画カバー１０８は、権限のないアクセスを防止するために、錠および／または特殊なねじを含んでよい。例示的一実施形態によれば、ＡＭＩ区画カバー１０８は、タブを受け入れ機構（ｒｅｃｅｉｖｉｎｇ  ｆｅａｔｕｒｅ）の中に挿入することによって、ＡＭＩ区画１０４に設置されうる。本発明のいくつかの実施形態では、機密シール（ｓｅｃｕｒｉｔｙ  ｓｅａｌ）を有する封印ねじ（ｓｅａｌｉｎｇ  ｓｃｒｅｗ）または施錠機構（ｌｏｃｋｉｎｇ  ｍｅｃｈａｎｉｓｍ）が、ＡＭＩ区画カバー１０８をメータ筐体１０２に固定するために使用されてよい。したがって、現場における権限を与えられた人など、任意の人が、シールを開き、封印ねじまたは錠を外してＡＭＩカード１０６を交換することができる。
【００１９】
例示的一実施形態によれば、メータ筐体１０２はまた、蓄電池１１２を収容するために使用可能な別個の蓄電池区画１１０を含んでよい。本発明のいくつかの例示的実施形態では、着脱式蓄電池区画カバー１１４が、蓄電池区画１１０を覆って密封し、蓄電池１１２を、環境すなわち外部要因および／または不正使用から保護することができる。本発明のいくつかの実施形態では、蓄電池区画カバー１１４は、権限のないアクセスを防止するために、錠および／または特殊ねじを含んでよい。
【００２０】
本発明のいくつかの実施形態によれば、蓄電池区画１１０は、蓄電池をＡＭＩカード１０６など、エネルギーメータの構成要素に電気的に接続するためのコネクタインターフェースを含んでよい。いくつかの例示的実施形態では、蓄電池区画１１０は、蓄電池１１２を蓄電池区画１１０内に固定するためのスナップ機構を含んでよい。例示的一実施形態によれば、蓄電池１１２は、蓄電池区画１１０に付随する、１つまたは複数の対応する（雄または雌の）ヘッダと物理的に連結するための１つまたは複数の（雌または雄の）ヘッダを含んでよい。
【００２１】
例示的一実施形態によれば、蓄電池区画カバー１１４は、タブを受け入れ機構の中に挿入することによって、蓄電池区画１１０の中に設置されうる。本発明のいくつかの実施形態では、機密シールを有する封印ねじまたは施錠機構が、蓄電池区画カバー１１４をメータ筐体１０２に固定するために使用されてよい。したがって、現場において権限を与えられた人など、任意の人が、シールを開き、封印ねじまたは錠を外して蓄電池１１２を交換することができる。
【００２２】
本発明の例示的実施形態によれば、蓄電池１１２およびＡＭＩカード１０６は、メータ筐体１０２内の、別個で専用の、安全を確保できる筐体（それぞれ１１０および１０４など）内に嵌るように設計されてよく、それにより、作動中、あるいは蓄電池１１２またはＡＭＩカード１０６のいずれかを交換中に、他の構成要素がアクセス可能になることはない。例えば、蓄電池１１２の交換が必要であるならば、蓄電池区画カバー１１４の取り外しだけが必要であり、ＡＭＩ区画カバー１０８は、取り付けられたままでよく、ＡＭＩカード１０６を保護する。
【００２３】
本発明の例示的実施形態では、別個の筐体はまた、蓄電池１１２をＡＭＩカード１０６から物理的に離隔することによる安全手段を提供することができ、それにより、例えば、蓄電池１１２の電解液漏れまたは破裂が、ＡＭＩカード１０６を損傷することはない。反対に、例えば電力線への落雷によって、ＡＭＩカード１０６が発火するとしても、損傷をＡＭＩ区画１０４内に封じ込めることができ、蓄電池１１２またはエネルギーメータに付随する他の構成要素をさらに損傷することを防止することができるか、さもなくば、最小化することができる。
【００２４】
図２は、本発明の例示的一実施形態による変流器アッシ（分解図２００およびアッシ図２０８）を示す。変流器アッシ２０８の例示的実施形態は、コイルアッシ２０２、キャップ２０４およびケーシング２０６を含む。例示的一実施形態によれば、キャップ２０４およびケーシング２０６は、組み付け中および組み付け後に、コイルアッシ２０２およびリード線２１０を受容し、方向づけるための機構を含んでよい。本発明の例示的実施形態によれば、コイルアッシ２０２は、例えば測定モジュールに接続されうるリード線２１０を有するコイルを含んでよい。いくつかの例示的実施形態では、キャップ２０４は、１つまたは複数のキャップスナップロック機構２１２を含んでよく、ケーシング２０６は、キャップ２０４をケーシング２０６にプレスロック（ｐｒｅｓｓ  ｌｏｃｋｉｎｇ）するために、１つまたは複数のそれぞれのケーシングスナップロック機構２１４を含んでよい。例えば、図２に示すように、コイルアッシ２０２は、ケーシング２０６の中に置かれてよく、リード線２１０は、ケーシング２０６に備えられた切り欠きから経路を決められてよい。次いで、キャップ２０４は、ケーシング２０６の上に置かれ、いくつかのまたはすべてのケーシングスナップロック機構２１４が、キャップ２０４のそれぞれのキャップスナップロック機構２１２と係合するまで、押されてよい。本発明のいくつかの例示的実施形態では、キャップ２０４がケーシング２０６とプレスロックしたことは、「カチッ」という音を聞いて確認でき、またはそれ以外に、視覚もしくはその他の触覚による手がかりで確認することができる。
【００２５】
本発明のいくつかの例示的実施形態では、キャップ２０４およびケーシング２０６は、種々のサイズのコイルアッシ２０２を受容することができる。例えば、異なる供給業者から得られたコイルアッシ２０２は、内径および／または外形および／または幅が、標準的な値と約８０％〜約１２０％変動する可能性がある。いくつかの実施形態では、ケーシング２０６およびキャップ２０４は、標準的サイズの約９０％〜約１１０％で変動するコイルアッシ２０２を受容可能である。それゆえ、例示的実施形態によれば、同じキャップ２０４およびケーシング２０６が、依然として、異なるサイズのコイルアッシ２０２を収容するために使用可能である。このことは、キャップ２０４およびケーシング２０６の物理的な制約によって特定の一供給業者に縛られるのではなく、コイルアッシ２０２を、コストに基づいて種々のコイル供給業者から選択する能力を提供する。
【００２６】
図３は、本発明の例示的一実施形態による例示的ベースアッシ３００の図である。ベースアッシ３００は、変流器アッシ３０４を有する電流感知アッシ配列３０２を含んでよい。変流器アッシ３０４は、（図２に示すように）キャップ２０４、ケーシング２０６およびコイルアッシ２０２から組み立てられる。図３に示すように、本発明の例示的一実施形態によれば、一対の給電用導体の一方の導体（通電状態または中立状態（ｈｏｔ  ｏｒ  ｎｅｕｔｒａｌ））が、コイルアッシ３０４のコイルそれぞれの中心を通過することができる。コイルアッシ３０４内の誘導電流は、ベースアッシ３０２の専用の監視モジュールによって、またはＡＭＩカード１０６によって監視することができる。
【００２７】
図４は、本発明の例示的一実施形態による蓄電池アッシ４００の図である。同様に、カバー４０２、蓄電池４０４（またはスーパーキャパシタ）、プリント配線板アッシ４０６および蓄電池筐体４１０を含んでよい蓄電池アッシ４００の分解図を、図４に示す。例示的一実施形態では、プリント配線板アッシ４０６は、蓄電池４０４をＡＭＩカード（図１の１０６など）またはエネルギーメータに付随する他の電気的構成要素に接続するためのコネクタヘッダ４０８を含んでよい。本発明の例示的一実施形態によれば、蓄電池筐体４１０は、蓄電池アッシ４００を蓄電池区画（図１の１１０など）内に固定するためのスナップロック機構４１２を含んでよい。
【００２８】
本発明の例示的実施形態によれば、蓄電池アッシ４００は、エネルギーメータのための予備電源を提供することができる。例えば、停電の間、蓄電池アッシ４００は、エネルギーメータの内部デバイスに電力を供給して、公益事業の収益データ（ｕｔｉｌｉｔｙ  ｒｅｖｅｎｕｅ  ｄａｔａ）を保護することができる。本発明のいくつかの実施形態では、エネルギーメータは、停電時に蓄電池電力を利用可能な不正使用検出デバイスを含んでよい。
【００２９】
次に、本発明の一実施形態による電力メータ構成要素にアクセスする方法５００の一例を、図５の流れ図の参照と共に説明する。方法５００は、ブロック５０２で開始し、先端メータリングインフラ（ＡＭＩ）構成要素を収容するために使用可能な、１つまたは複数の点検時にアクセス可能な区画（１０４、１１０）を有するエネルギーメータ筐体（１０２）を備えるステップを含む。ブロック５０４で、方法５００は、１つまたは複数の点検時にアクセス可能な区画（１０４、１１０）に付随する１つまたは複数の区画カバー（１０８、１１４）を操作するステップを含む。ブロック５０６で、方法５００は、１つまたは複数の点検時にアクセス可能な区画（１０４、１１０）の中に１つまたは複数のＡＭＩ構成要素を設置するステップを含む。ブロック５０８で、方法５００は、１つまたは複数の区画カバー（１０８、１１４）を閉じて、エネルギーメータ筐体（１０２）が、少なくとも１つの外部要因からＡＭＩ構成要素を保護するステップを含む。方法５００は、ブロック５０８の後で終了する。
【００３０】
したがって、本発明の例示的実施形態は、現場で交換可能なＡＭＩカードのための措置をもたらすいくつかのシステム、方法および装置を生み出す技術的効果を提供することができる。本発明の例示的実施形態は、現場で交換可能な予備蓄電池アッシまたはスーパーキャパシタアッシのための措置をもたらすシステム、方法および装置を提供する他の技術的効果を提供することができる。本発明の例示的実施形態は、離隔された区画をＡＭＩカードおよび蓄電池のために備えるシステム、方法および装置を提供して、一方の構成要素を交換中に他方の構成要素を損傷する危険性を最小限に抑え、および／または破壊的な故障を離隔する、他の技術的効果を提供することができる。本発明の例示的実施形態は、複数の供給業者からのコイルアッシを受容するための変流器筐体をもたらすシステム、方法および装置を提供する他の技術的効果を提供することができる。
【００３１】
要求に応じて、本発明のいくつかの実施形態は、図１、図２、図３および図４に示す構成要素より多いかまたは少ないメータアッシ１００、変流器アッシ２００、ベースアッシ、および蓄電池アッシ４００を含むことができる。
【００３２】
本発明の例示的実施形態によるシステム、方法および装置の流れ図を参照して、本発明を上で説明した。本発明のいくつかの実施形態によれば、流れ図の１つまたは複数のブロックは、必ずしも提示した順番で実施される必要がないこと、または、必ずしも実施される必要がないことが、理解されよう。
【００３３】
本発明を、現在、最も実際的で多様な実施形態であるとみなされるものに関連して説明してきたが、本発明は、開示した実施形態に限定されるものではなく、反対に、添付の特許請求の範囲に含まれる種々の改変および等価な配列を包含することが意図されていることを理解されたい。本明細書で特定の用語が使用されるが、それらは、限定のためではなく、一般的かつ記述的な意味でのみ使用される。
【００３４】
この書面による説明は、本発明を、最良の方式を含めて開示するため、かつまた、当業者が、任意のデバイスもしくはシステムを作製し、使用すること、ならびに任意の組み込まれた方法を実施することを含めて、本発明の実施を可能にするための例を使用する。本発明の特許性のある範囲は、特許請求の範囲において定義され、当業者が想到する他の例を含んでよい。そのような他の例は、それらが、特許請求の範囲の文字通りの文言と違わない構造的要素を有するならば、または、それらが、特許請求の範囲の文字通りの文言ごくわずかしか違わない等価な構造的要素を含むならば、特許請求の範囲の中にあることが意図されている。
【符号の説明】
【００３５】
１００  メータアッシの分解図
１０２  メータ筐体
１０４  先端メータリングインフラ（ＡＭＩ）構成要素
１０６  ＡＭＩカード
１０８  ＡＭＩ区画カバー
１１０  蓄電池区画
１１２  蓄電池
１１４  蓄電池区画カバー
２００  変流器アッシの分解図
２０２  コイルアッシ
２０４  キャップ
２０６  ケーシング
２０８  ＣＴアッシ
２１０  リード線
２１２  キャップスナップロック機構
２１４  ケーシングスナップロック機構
３００  変流器アッシを含むベースアッシ
３０２  電流感知アッシ配列
３０４  ＣＴアッシ
４００  蓄電池アッシ
４０２  カバー
４０４  蓄電池（またはスーパーキャパシタ）
４０６  プリント配線板アッシ
４０８  コネクタヘッダ
４１０  蓄電池筐体
４１２  スナップロック機構
５００  方法の流れ図
５０２  ブロック
５０４  ブロック
５０６  ブロック
５０８  ブロック
【図１】
2012073254.tif 000003
【図２】
2012073254.tif 000004
【図３】
2012073254.tif 000005
【図５】
2012073254.tif 000006
【図４】
2012073254.tif 000007